【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
撮像を行う撮像手段と、前記撮像手段により撮像された画像の画像データを記憶する記憶手段とを有する撮像装置であって、
前記記憶手段は、前記撮像装置の内部に固定されたものであり、
前記撮像装置は、前記記憶手段に記憶されている画像データを所定の外部装置に転送手段を用いて無線で転送するか否かを前記記憶手段の使用状況に応じて判定することを特徴とする撮像装置。
【請求項２】
撮像を行う撮像手段と、前記撮像手段により撮像された画像の画像データを記憶する記憶手段とを有する撮像装置であって、
前記記憶手段は、前記撮像装置から取り外し可能なものであり、
前記撮像装置は、前記記憶手段に記憶されている画像データを所定の外部装置に転送手段を用いて無線で転送するか否かを前記記憶手段の使用状況に応じて判定することを特徴とする撮像装置。
【請求項３】
前記撮像装置は、前記記憶手段に記憶されている画像データを前記所定の外部装置に前記転送手段を用いて無線で転送した後に、その画像データを前記記憶手段から消去することを特徴とする請求項１又は２に記載の撮像装置。
【請求項４】
前記使用状況は、空き容量、使用量及び使用率の何れかであることを特徴とする請求項１乃至３の何れかに記載の撮像装置。
【請求項５】
前記所定の外部装置にアクセスするのに必要な情報を入力する入力手段をさらに有することを特徴とする請求項１乃至４の何れかに記載の撮像装置。
【請求項６】
前記撮像装置は、ディジタルカメラであることを特徴とする請求項１乃至５の何れかに記載の撮像装置。
【請求項７】
撮像を行う撮像手段と、前記撮像手段により撮像された画像の画像データを記憶する記憶手段とを有する撮像装置であって、
前記記憶手段は、前記撮像装置の内部に固定されたものであり、
前記撮像装置は、前記記憶手段の使用状況が所定の使用状況であると判定した場合は、前記記憶手段に記憶されている画像データを所定の外部装置に転送手段を用いて無線で転送することを特徴とする撮像装置。
【請求項８】
撮像を行う撮像手段と、前記撮像手段により撮像された画像の画像データを記憶する記憶手段とを有する撮像装置であって、
前記記憶手段は、前記撮像装置から取り外し可能なものであり、
前記撮像装置は、前記記憶手段の使用状況が所定の使用状況であると判定した場合は、前記記憶手段に記憶されている画像データを所定の外部装置に転送手段を用いて無線で転送することを特徴とする撮像装置。
【請求項９】
前記撮像装置は、前記記憶手段に記憶されている画像データを前記所定の外部装置に前記転送手段を用いて無線で転送した後に、その画像データを前記記憶手段から消去することを特徴とする請求項７又は８に記載の撮像装置。
【請求項１０】
前記使用状況は、空き容量、使用量及び使用率の何れかであることを特徴とする請求項７乃至９の何れかに記載の撮像装置。
【請求項１１】
前記所定の外部装置にアクセスするのに必要な情報を入力する入力手段をさらに有することを特徴とする請求項７乃至１０の何れかに記載の撮像装置。
【請求項１２】
前記撮像装置は、ディジタルカメラであることを特徴とする請求項７乃至１１の何れかに記載の撮像装置。
【請求項１３】
撮像を行う撮像手段と、前記撮像手段により撮像された画像の画像データを記憶する記憶手段とを有する撮像装置であって、
前記記憶手段は、前記撮像装置の内部に固定されたものであり、
前記撮像装置は、撮像を行った後は、前記記憶手段に記憶されている画像データを所定の外部装置に転送手段を用いて無線で転送し、その画像データを前記所定の外部装置に転送した後は、その画像データを前記記憶手段から消去することを特徴とする撮像装置。
【請求項１４】
撮像を行う撮像手段と、前記撮像手段により撮像された画像の画像データを記憶する記憶手段とを有する撮像装置であって、
前記記憶手段は、前記撮像装置から取り外し可能なものであり、
前記撮像装置は、撮像を行った後は、前記記憶手段に記憶されている画像データを所定の外部装置に転送手段を用いて無線で転送し、その画像データを前記所定の外部装置に転送した後は、その画像データを前記記憶手段から消去することを特徴とする撮像装置。
【請求項１５】
前記撮像装置は、前記記憶手段に記憶されている画像データを前記所定の外部装置に前記転送手段を用いて無線で転送する処理が終了する前であっても次の撮像を行うことが可能であることを特徴とする請求項１３又は１４に記載の撮像装置。
【請求項１６】
前記所定の外部装置にアクセスするのに必要な情報を入力する入力手段をさらに有することを特徴とする請求項１３乃至１５の何れかに記載の撮像装置。
【請求項１７】
前記撮像装置は、ディジタルカメラであることを特徴とする請求項１３乃至１６の何れかに記載の撮像装置。
【手続補正２】
【補正対象書類名】明細書
【補正対象項目名】０００１
【補正方法】変更
【補正の内容】
【０００１】
【発明の属する技術分野】
本発明は、画像データを記憶手段に記憶することができる撮像装置に関する。
【手続補正３】
【補正対象書類名】明細書
【補正対象項目名】０００５
【補正方法】変更
【補正の内容】
【０００５】
そこで本発明は、例えば、記憶手段の容量に限定されずに撮影を行うことができる撮像装置を提供することを目的とする。
【手続補正４】
【補正対象書類名】明細書
【補正対象項目名】０００６
【補正方法】変更
【補正の内容】
【０００６】
【課題を解決するための手段】
本発明に係る撮像装置の一つは、例えば、撮像を行う撮像手段と、前記撮像手段により撮像された画像の画像データを記憶する記憶手段とを有する撮像装置であって、前記記憶手段は、前記撮像装置の内部に固定されたものであり、前記撮像装置は、前記記憶手段に記憶されている画像データを所定の外部装置に転送手段を用いて無線で転送するか否かを前記記憶手段の使用状況に応じて判定することを特徴とする。
【手続補正５】
【補正対象書類名】明細書
【補正対象項目名】０００７
【補正方法】変更
【補正の内容】
【０００７】
本発明に係る撮像装置の一つは、例えば、撮像を行う撮像手段と、前記撮像手段により撮像された画像の画像データを記憶する記憶手段とを有する撮像装置であって、前記記憶手段は、前記撮像装置から取り外し可能なものであり、前記撮像装置は、前記記憶手段に記憶されている画像データを所定の外部装置に転送手段を用いて無線で転送するか否かを前記記憶手段の使用状況に応じて判定することを特徴とする。
【手続補正６】
【補正対象書類名】明細書
【補正対象項目名】０００８
【補正方法】変更
【補正の内容】
【０００８】
本発明に係る撮像装置の一つは、例えば、撮像を行う撮像手段と、前記撮像手段により撮像された画像の画像データを記憶する記憶手段とを有する撮像装置であって、前記記憶手段は、前記撮像装置の内部に固定されたものであり、前記撮像装置は、前記記憶手段の使用状況が所定の使用状況であると判定した場合は、前記記憶手段に記憶されている画像データを所定の外部装置に転送手段を用いて無線で転送することを特徴とする。
【手続補正７】
【補正対象書類名】明細書
【補正対象項目名】０００９
【補正方法】変更
【補正の内容】
【０００９】
本発明に係る撮像装置の一つは、例えば、撮像を行う撮像手段と、前記撮像手段により撮像された画像の画像データを記憶する記憶手段とを有する撮像装置であって、前記記憶手段は、前記撮像装置から取り外し可能なものであり、前記撮像装置は、前記記憶手段の使用状況が所定の使用状況であると判定した場合は、前記記憶手段に記憶されている画像データを所定の外部装置に転送手段を用いて無線で転送することを特徴とする。
【手続補正８】
【補正対象書類名】明細書
【補正対象項目名】００１０
【補正方法】変更
【補正の内容】
【００１０】
本発明に係る撮像装置の一つは、例えば、撮像を行う撮像手段と、前記撮像手段により撮像された画像の画像データを記憶する記憶手段とを有する撮像装置であって、前記記憶手段は、前記撮像装置の内部に固定されたものであり、前記撮像装置は、撮像を行った後は、前記記憶手段に記憶されている画像データを所定の外部装置に転送手段を用いて無線で転送し、その画像データを前記所定の外部装置に転送した後は、その画像データを前記記憶手段から消去することを特徴とする。
【手続補正９】
【補正対象書類名】明細書
【補正対象項目名】００１１
【補正方法】変更
【補正の内容】
【００１１】
本発明に係る撮像装置の一つは、例えば、撮像を行う撮像手段と、前記撮像手段により撮像された画像の画像データを記憶する記憶手段とを有する撮像装置であって、前記記憶手段は、前記撮像装置から取り外し可能なものであり、前記撮像装置は、撮像を行った後は、前記記憶手段に記憶されている画像データを所定の外部装置に転送手段を用いて無線で転送し、その画像データを前記所定の外部装置に転送した後は、その画像データを前記記憶手段から消去することを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００４７
【補正方法】変更
【補正の内容】
【００４７】
【発明の効果】
以上説明したように本発明によれば、例えば、記憶手段の容量に限定されずに撮影を行うことができる。